(57)【要約】【課題】画像読取装置において、密着型イメージセンサをシャフトに対して高精度に固定する。【解決手段】密着型イメージセンサ１の短手方向（幅方向）の両側端面に、それぞれ位置決め部１０ａ，１０ｂが対向するように一体形成されている。位置決め部１０ａは、シャフト２の両側端にそれぞれ接するように密着型イメージセンサ１の下方に延びるリブ１３ａ，１３ｂと、これらにより形成され、シャフト２に係合する溝１４ａとからなる。また、位置決め部１０ｂは、シャフト２の両側端にそれぞれ接するように密着型イメージセンサ１の下方に延びるリブ１３ｃ，１３ｄと、これらにより形成され、シャフト２に係合する溝１４ｂとからなる。これら位置決め部１０ａ，１０ｂにより、密着型イメージセンサ１はシャフト２に直接契合するため水平方向へのブレの発生が抑制される。【選択図】  図１
2005003778.tif 000002
【特許請求の範囲】
【請求項１】
被読取体が上面に配置される透光板に対して、該透光板の下面に当接しながら所定方向に移動することで前記被読取体に記録されている画像を読み取る密着型イメージセンサと、該密着型イメージセンサの移動方向を軸方向とし、前記密着型イメージセンサを前記移動方向に導く、棒状のシャフトと、該シャフトに係合するとともに前記密着型イメージセンサに接続し、該密着型イメージセンサを前記シャフトの軸方向に移動させるベアリングとを備えた画像読取装置において、
前記密着型イメージセンサは、前記シャフトにおける前記軸方向に垂直な方向の両側端にそれぞれ接し、前記密着型イメージセンサから前記シャフト方向に延びる一対のリブと該一対のリブ間に形成される溝とからなり、該溝に前記シャフトを係合する位置決め手段を、前記密着型イメージセンサにおける前記移動方向の両側面に対向して二つ一体形成してなることを特徴とする画像読取装置。
【請求項２】
被読取体が上面に配置される透光板に対して、該透光板の下面に当接しながら所定方向に移動することで前記被読取体に記録されている画像を読み取る密着型イメージセンサと、該密着型イメージセンサの移動方向を軸方向とし、前記密着型イメージセンサを前記移動方向に導く、棒状のシャフトと、該シャフトに係合するとともに前記密着型イメージセンサに接続し、該密着型イメージセンサを前記シャフトの軸方向に移動させるベアリングとを備えた画像読取装置において、
前記密着型イメージセンサは、前記シャフトに係合する位置決め手段を一体形成してなることを特徴とする画像読取装置。
【請求項３】
前記位置決め手段は、前記シャフトにおける前記軸方向に垂直な方向の両側端にそれぞれ接し、前記密着型イメージセンサから前記シャフト方向に延びる一対のリブと該一対のリブ間に形成される溝とからなり、該溝に前記シャフトが係合する請求項２に記載の画像読取装置。
【請求項４】
前記位置決め手段は、前記密着型イメージセンサにおける前記移動方向の両側面に対向して二つ形成されている請求項２または請求項３に記載の画像読取装置。
【発明の詳細な説明】
【０００１】
【発明の属する技術分野】
この発明は、密着型イメージセンサを備えた画像読取装置、特に、密着型イメージセンサの固定構造に関するものである。
【０００２】
【従来の技術】
密着型イメージセンサを備えた画像読み取り装置は、透光性のコンタクトガラスの上面に被読取体である原稿を配置し、これに対向する下面側に密着型イメージセンサを当接させながら、所定方向に移動させることで、原稿に記録されている画像情報を読み取る。
【０００３】
図２は従来の密着型イメージセンサの固定構造を示す分解斜視図である。
図２に示すように、密着型イメージセンサ１の長手方向の両端部には、センサ固定部１１ａ，１１ｂを形成している。また、密着型イメージセンサ１の下方にはブラケット３を配置しており、このブラケット３の長手方向の一方端には、上方を開口する溝３３ａを、他方端には貫通孔３３ｂを形成している。この溝３３ａと貫通孔３３ｂとのそれぞれにセンサ固定部１１ａ，１１ｂが挿嵌することで、密着型イメージセンサ１をブラケット３に固定する。
【０００４】
ブラケット３の下方にはシャフト２に溝４１が係合するベアリング４を配置しており、このベアリング４の上面にブラケット３を設置する。ここで、ベアリング４の上面には突起部４２ａ、４２ｂを設けており、ブラケット３における、これら突起部４２ａ，４２ｂに対向する位置に貫通孔３２ａ，３２ｂを設けている。これら突起部４２ａ，４２ｂを貫通孔３２ａ，３２ｂに挿嵌させることで、密着型イメージセンサ１を固定したブラケット３をベアリング４に固定する。そして、ベアリング４をベルト固定部４３により駆動ベルト６に固定し、この駆動ベルト６を駆動することで、密着型イメージセンサ１はシャフト２の軸方向に往復動する。
【０００５】
ここで、密着型イメージセンサ１とブラケット３との間には、スプリング５が長手方向の中心を対称にして、所定間隔離れて二つ配置されおり、これらのスプリング５により密着型イメージセンサ１が上方に押圧され、コンタクトガラスの下面に所定の押圧力で当接する。
【０００６】
このような構造を有する密着型イメージセンサを備えた画像読取装置が種々考案されている（例えば特許文献１、特許文献２、特許文献３、特許文献４参照。）。
【０００７】
【特許文献１】
特開平１１−９８３２２号公報
【特許文献２】
特開平７−１９３６８９号公報
【特許文献３】
特開昭６０−９６０５８号公報
【特許文献４】
特開昭６１−１２５２７３号公報
【０００８】
【発明が解決しようとする課題】
密着型イメージセンサを備える画像読取装置においては、図３の矢印に示すような、密着型イメージセンサの水平方向のブレ量が非常に問題となる。すなわち、このようなブレが生じると、このブレ量に応じて被読取体の画像情報を斜めに読み取ってしまい、正確に読み取ることができなくなってしまう。
【０００９】
ところが、従来の画像読取装置の密着型イメージセンサ１は、図２に示したように、シャフト２に対して、ベアリング４およびブラケット３を介して取り付けられており、それぞれの取り付け部（シャフト２とベアリング４の溝４１、ベアリング４の突起部４２ａ，４２ｂとブラケット３の貫通孔３２ａ，３２ｂ、および、ブラケット３の溝３３ａ、貫通孔３３ｂと密着型イメージセンサ１のセンサ固定部１１ａ，１１ｂ）で個別にガタ（位置決め精度のバラツキ）が生じる。このため、密着型イメージセンサ１をシャフト２に対して高精度に取り付けることが難しい。
【００１０】
この発明の目的は、密着型イメージセンサをシャフトに対して高精度に取り付けることができる画像読取装置を構成することにある。
【００１１】
【課題を解決するための手段】
この発明は、被読取体が上面に配置される透光板に対して、該透光板の下面に当接しながら所定方向に移動することで前記被読取体に記録されている画像を読み取る密着型イメージセンサと、該密着型イメージセンサの移動方向を軸方向とし、密着型イメージセンサを移動方向に導く、棒状のシャフトと、該シャフトに係合するとともに密着型イメージセンサに接続し、この密着型イメージセンサをシャフトの軸方向に移動させるベアリングとを備えた画像読取装置において、密着型イメージセンサに、シャフトと係合する位置決め手段を一体形成することを特徴としている。
【００１２】
この構成では、位置決め手段により、密着型イメージセンサが直接シャフトに係合することで、密着型イメージセンサの水平方向のブレが抑制される。さらに、シャフトに対する密着型イメージセンサの取り付け精度が、位置決め手段のシャフトに対する係合精度にのみ依存し、密着型イメージセンサを高精度に取り付け易い。
【００１３】
また、この発明は、位置決め手段を、シャフトにおける軸方向に垂直な方向の両側端にそれぞれ接し、密着型イメージセンサからシャフト方向に延びる一対のリブとこの一対のリブ間に形成される溝とから構成し、この溝にシャフトを係合させることを特徴としている。
【００１４】
この構成では、位置決め手段がシャフトの両側端で接触するため、密着型イメージセンサの水平方向のブレがさらに抑制される。
【００１５】
また、この発明は、位置決め手段を、密着型イメージセンサにおける移動方向の両端部に対向して二つ形成することを特徴としている。
【００１６】
この構成では、密着型イメージセンサの移動方向（幅方向）の両端に位置決め手段を設けることで、シャフトの軸方向に所定距離（密着型イメージセンサの幅分）だけ離間して、位置決め手段がシャフトに接触するため、前述の密着型イメージセンサのブレがさらに抑制される。
【００１７】
【発明の実施の形態】
本発明の実施形態に係る画像読取装置の密着型イメージセンサについて図を参照して説明する。
【００１８】
図１は本実施形態の密着型イメージセンサの固定構造を表す分解斜視図である。
図１に示すように、密着型イメージセンサ１は、上面にセンサを備え、下面側に、位置決め部１０ａ，１０ｂと固定用突起１５とを備える。位置決め部１０ａは、密着型イメージセンサ１の長手方向（以下、「長さ方向」という。）の略中央で、短手方向（以下、「幅方向」という。）の一方の側面（図１における左手前側）に設けられており、密着型イメージセンサ１の下端から下方に垂直に延びるリブ１３ａ，１３ｂと、リブ１３ａ，１３ｂにより形成される溝１４ａとからなる。ここで、リブ１３ａ，１３ｂとをシャフト２の直径と略同じ間隔で形成している。また、位置決め部１０ｂは、位置決め部１０ａに対向する密着型イメージセンサ１の他方の側面（図１における右奥側）に設けられており、密着型イメージセンサ１の下端から下方に垂直に延びるリブ１３ｃ，１３ｄと、リブ１３ｃ，１３ｄにより形成される溝１４ｂとからなる。ここで、リブ１３ｃ，１３ｄとをシャフト２の直径と略同じ間隔で形成している。また、密着型イメージセンサ１の略中心位置には、密着型イメージセンサ１の下端から下方に垂直に延びる所定径で所定長の円筒状からなる固定部用突起１５を設けている。そして、これら位置決め部１０ａ，１０ｂおよび固定用突起１５を、密着型イメージセンサ１に一体形成している。具体的には、この密着型イメージセンサ１の本体は樹脂からなり、予め、位置決め部１０ａ，１０ｂと固定用突起１５とを備える形状に金型を形成しておくことで、このような位置決め部１０ａ，１０ｂと固定用突起１５とを一体に備える密着型イメージセンサ１を容易に形成することができる。また、金型の精度を高めることで、密着型イメージセンサ１の前述の各形状を高精度に形成できる。
【００１９】
ブラケット３は板金製であり、密着型イメージセンサ１の下方に配置され、その略中央部に複数の貫通孔３２ａ，３２ｂ，３５を備える。このブラケット３は、貫通孔３５を密着型イメージセンサ１の固定用突起１５に対向する位置に形成し、貫通孔３２ａ，３２ｂを後述するベアリング４の突起部４２ａ，４２ｂに対向する位置に形成している。また、ブラケット３は、その長手方向の両端部付近の上面側にスプリング固定部（図示せず）を備えており、これらスプリング固定部のそれぞれにスプリング５を固定している。
【００２０】
ベアリング４は、下端部にシャフト２へ係合する溝４１を備えており、上端面に突起部４２ａ，４２ｂおよび凹部４５を備えている。溝４１はシャフト２の外径形状に略一致する形状で形成されていて、ベアリング４がシャフト２の軸方向に対して移動可能に取り付けられている。また、ベアリング４の一側面（図１における右手前面）には、ベルト固定部４３を備えており、駆動ベルト６に接続している。
【００２１】
このベアリング４の上面にブラケット３を配置し、ベアリング４の突起部４２ａ，４２ｂをブラケット３の貫通孔３２ａ，３２ｂに挿嵌させることで、ブラケット３をベアリング４に固定する。さらに、ブラケット３の上方には、スプリング５を介して密着型イメージセンサ１を配置し、密着型イメージセンサ１の固定用突起１５を、ブラケット３の貫通孔３５に挿通させてベアリング４の凹部４５に嵌合させることにより、密着型イメージセンサ１をベアリング４に固定する。この時、密着型イメージセンサ１の位置決め部１０ａ，１０ｂはそれぞれベアリング４におけるシャフト２の軸方向の両側面に近接し、位置決め部１０ａのリブ１３ａとリブ１３ｂとでシャフト２を両側端から挟み込む（溝１４ａに係合される）とともに、位置決め部１０ｂのリブ１３ｃとリブ１３ｄとでもシャフト２を両側端から挟み込む（溝１４ｂに係合される）。
【００２２】
このように、密着型イメージセンサ１は一体形成された位置決め部１０ａ、１０ｂがシャフト２に直接係合する構造であるので、シャフト２に対する密着型イメージセンサ１の図３に示した矢印方向（水平方向）へのブレを抑制することができる。
【００２３】
なお、密着型イメージセンサ１は、このままではスプリング５の押圧力により上方に外れてしまうが、実際には、この密着型イメージセンサ１はコンタクトガラスの下面に当接させるため、密着型イメージセンサ１、ブラケット３、およびビアリング５からなる複合部品とコンタクトガラスとの間隔を、スプリング５により密着型イメージセンサ１が外れず、且つ所定の押圧力（密着型イメージセンサ１からコンタクトガラスへの押圧力）を有するように設定すればよい。
【００２４】
シャフト２は、断面円状の剛体棒で形成されており、密着型イメージセンサ１の幅方向が軸方向となるように配置されている。
【００２５】
駆動ベルト６は、シャフト２に沿うように配置されており、その一端にモータを備えたベルト駆動手段（図示せず）が配置されている。
【００２６】
そして、ベルト駆動手段で駆動ベルト６を駆動することで、この駆動ベルト６に接続するベアリング４がシャフト２の軸方向に移動する。これにより、密着型イメージセンサ１も幅方向を移動方向としてシャフト２の軸方向に移動するが、このときにも、位置決め部１０ａ，１０ｂがシャフト２の両側端に接触し、係合し続けるので、図３に示した矢印方向（水平方向）へのブレを抑制することができる。
【００２７】
このように密着型イメージセンサ１がブレを生じることなく移動（往復動）することで、画像読取装置はコンタクトガラスの上面に配置された原稿の画像情報を正確に読み取ることができる。
【００２８】
【発明の効果】
この発明によれば、密着型イメージセンサにシャフトへ直接係合する位置決め手段を一体に形成することで、密着型イメージセンサが作動中に水平方向へのブレが生じることを防止できる。これにより、画像読取装置はセットされた原稿の画像情報を正確に読み取ることができる。
【図面の簡単な説明】
【図１】本発明の実施形態に係る密着型イメージセンサの固定構造を表す分解斜視図
【図２】従来の密着型イメージセンサの固定構造を表す分解斜視図
【図３】密着型イメージセンサのシャフトに対するブレを示す概要図
【符号の説明】
１−密着型イメージセンサ
１０ａ，１０ｂ−密着型イメージセンサ１の位置決め部
１１ａ，１１ｂ−密着型イメージセンサセンサ１の固定部
１３ａ〜１３ｄ−密着型イメージセンサ１のリブ
１４ａ，１４ｂ−密着型イメージセンサ１の溝
１５−密着型イメージセンサ１の固定用突起
２−シャフト
３−ブラケット
３２ａ，３２ｂ，３３ｂ，３５−ブラケット３に設けられた貫通孔
３３ａ−ブラケット３に設けられた溝
４−ベアリング
４１−ベアリング４に設けられた溝
４２ａ，４２ｂ−ベアリング４に設けられた突起部
４３−ベルト固定部
４５−ベアリング４に設けられた凹部
５−スプリング
６−駆動ベルト
【図１】
2005003778.tif 000003
【図２】
2005003778.tif 000004
【図３】
2005003778.tif 000005